(57)【特許請求の範囲】
【請求項１】
有底筒状の容器内が通気性の受板で上下に仕切られ、前記受板上の前記容器内には吸湿剤を収容する吸湿剤収容室が形成され、前記容器の上部には前記吸湿剤収容室と油入電気機器とを連通させる通気孔が設けられている吸湿呼吸装置において、
前記容器の底部の下には該容器内の圧力の変化により吸気と排気とを行う呼吸弁ユニットが該容器の底部に対して間隔をあけて固定的に配置され、
前記呼吸弁ユニットの吸排気口と前記容器内の下部とが透明筒体で連通接続され、前記透明筒体には前記呼吸弁ユニットを経ての呼吸動作状態を表示する呼吸動作表示手段が内蔵され、
前記呼吸弁ユニットは、ユニットベース体と、該ユニットベース体の上面の中央側に連通室を形成するようにして該ユニットベース体の上部に被せられて該ユニットベース体の周縁部に対して気密にシールされている蓋体とを備え、前記蓋体には前記吸排気口が前記連通室を前記透明筒体内の通路を経て前記容器内に連通させるように設けられ、
前記ユニットベース体の底部には呼吸用孔として排気孔と吸気孔とが設けられ、
且つ前記ユニットベース体には、前記吸湿剤収容室側の内圧が外気圧より上昇して該外気圧との差圧が所定値以上になった際に排気用弁体が開となって該吸湿剤収容室側の圧力を前記排気孔を経て放圧する排気用弁機構と、前記吸湿剤収容室側の内圧が外気圧より低下して該外気圧との差圧が所定値以上になった際に吸気用弁体が開となって該吸湿剤収容室側に外気を前記吸気孔を経て吸込む吸気用弁機構とが設けられていることを特徴とする吸湿呼吸装置。
【請求項２】
前記排気用弁機構は、前記ユニットベース体に設けられて両端が異なる位置で前記連通室側に面する前記ユニットベース体の上面に開口する排気通路と、前記連通室側に開口する前記排気通路の一方の開口部の周囲で前記ユニットベース体の表面側に設けられた排気用弁座と、通常は前記排気用弁座に接触して前記排気通路を閉じていて前記吸湿剤収容室側の内圧が外気圧より上昇して該外気圧との差圧が所定値以上になった際に前記排気通路を経て伝わる該内圧で押し上げられて前記排気通路を開く前記排気用弁体と、前記連通室側に面する前記排気用弁体と前記排気通路の一方の開口部と前記排気孔の開口部とを前記連通室から隔離する隔離体とで構成されていることを特徴とする請求項１に記載の吸湿呼吸装置。
【請求項３】
前記排気用弁座は前記ユニットベース体の表面に開口させて設けられた排気用弁体ガイド凹部の底部に設けられ、該排気用弁体ガイド凹部内に前記排気用弁体が摺動自在に配置されていることを特徴とする請求項２に記載の吸湿呼吸装置。
【請求項４】
前記排気孔の出口にフィルターが配置されていることを特徴とする請求項１または２に記載の吸湿呼吸装置。
【請求項５】
前記吸気用弁機構は、前記ユニットベース体を貫通して外部と前記連通室側とを連通させている前記吸気孔からなる吸気通路と、前記連通室側に開口する前記吸気通路の開口部の周囲で前記ユニットベース体の表面側に設けられた吸気用弁座と、通常は前記吸気用弁座に接触して前記吸気通路を閉じていて前記吸湿剤収容室側の圧力が外気圧より低下して該外気圧との差圧が所定値以上になった際に外気圧で押し上げられて前記吸気通路を開く前記吸気用弁体とで構成されていることを特徴とする請求項１に記載の吸湿呼吸装置。
【請求項６】
前記吸気用弁座は前記ユニットベース体の表面に開口させて設けられた吸気用弁体ガイド凹部の底部に設けられ、該吸気用弁体ガイド凹部内に前記吸気用弁体が摺動自在に配置されていることを特徴とする請求項５に記載の吸湿呼吸装置。
【請求項７】
前記吸気孔の入口にフィルターが配置されていることを特徴とする請求項５または６に記載の吸湿呼吸装置。
【発明の詳細な説明】
【０００１】
【発明の属する技術分野】
本発明は、油入電気機器に取り付けられる吸湿呼吸装置に関するものである。
【０００２】
【従来の技術】
吸湿呼吸装置は、油入電気機器の温度変化による絶縁油の呼吸に際し、該絶縁油が吸湿して劣化しないようにするためのものである。
【０００３】
従来のこの種の吸湿呼吸装置は、図５及び図６に示すように、有底筒状の容器１を有し、該容器１内は前下りに傾斜した受板２で上下に仕切られ、該受板２上の容器１内には吸湿剤収容室３が形成されている。吸湿剤収容室３内には吸湿剤４が充填されている。受板２の中央には通気孔５があけられ、該通気孔５を塞ぐように受板２上には金網６が載置され、ビス７で固定され、通気が行えるようになっている。
【０００４】
容器１の前面には、吸湿剤監視窓８と吸湿剤取出部９が設けられている。吸湿剤監視窓８を構成する枠体１０の下側構成部材１０Ａの上面には後下りの傾斜面１１が設けられていて、吸湿剤排出時に枠体１０の部分に吸湿剤４が取残されないようになっている。
【０００５】
吸湿剤取出部９は、基端の下面が受板２の傾斜下端にほぼ一致するようにして該基端を容器１内の吸湿剤収容室３に連通させて先端を斜め下向きにして容器１に気密に取付けられた吸湿剤取出筒体１２と、該吸湿剤取出筒体１２の先端側内面に周方向に刻設されたネジ部に螺着されて吸湿剤取出筒体１２の先端を閉塞する吸湿剤取出蓋１３と、吸湿剤取出筒体１２の先端と吸湿剤取出蓋１３との間に介在されたパッキン１４とで構成されている。
【０００６】
容器１の底部１５の中央には吸排気孔１６が設けられ、該吸排気孔１６に対応して底部１５の下にはオイルポット１７が配設されている。該オイルポット１７を取付けるために底部１５の下面には１２０度間隔で座板１８が取付けられ、該座板１８には内周にネジが刻設されている連結リング１９が取付けられている。この連結リング１９にオイルポット１７が着脱自在に取付けられている。該オイルポット１７はアクリル樹脂等の透明材で形成されている。オイルポット１７の上端には、底部１５と連結リング１９との間に座板１８をスペーサとして通気口２０が形成されている。オイルポット１７内の底側には油面位置基準線２１の位置までシール油２２が収容されている。油面位置基準線２１はオイルポット１７の外周に朱色で刻設されている。オイルポット１７内には該オイルポット１７の内径より小さな外径の吸排気管２３が同心状に配設されている。該吸排気管２３の上端は吸排気孔１６を包囲して底部１５の下面に気密に取付けられ、下端はシール油２２中に浸漬されている。吸排気管２３の下端には、上向きに切込み２４が、油面位置基準線２１を越えない高さで設けられている。容器１の下部には油面位置基準線２１に対応して覗き窓２５が設けられている。
【０００７】
容器１の上端外周にはフランジ２６が突設され、該フランジ２６上にはパッキン２７を介して該容器１の上端を閉塞する主蓋２８が載置され、ボルト２９とナット３０とで気密に取付けられている。主蓋２８には吸湿剤投入部３１と本体連通部３２が形成されている。吸湿剤投入部３１は、主蓋２８に形成された吸湿剤投入孔３３と、吸湿剤投入孔３３を包囲して主蓋２８の上面には気密に取付けられた吸湿剤投入筒体３４と、該筒体３４の上部に切られた内ネジに螺着されて吸湿剤投入筒体３４を閉塞しているキャップ状の吸湿剤投入蓋３５と、図示しないが吸湿剤投入筒体３４の上端と吸湿剤投入蓋３５との間に介在されたパッキンとで構成されている。本体連通部３２は、主蓋２８に形成された通気孔３６と、通気孔３６を包囲して主蓋２８の上面に気密に取付けられた通気管３７と、該通気管３７の上端外周に取付けられて図示しない油入電気機器の呼吸口に連結するための接続フランジ３８とで構成されている。
【０００８】
このような吸湿呼吸装置は、常時はシール油２２がシールの役割をはたして内外の空気を遮断しているが、油入電気機器の内圧が下り、外気圧と該油入電気機器の内圧との差が一定値以上に達すると、オイルポット１７内で油面が吸排気管２３の内外で差が生じて、切込み２４のところで空気の流通を許す。矢印で示した如く通気口２０から吸気された外気は、シール油２２を通って濾過された後、吸排気管２３及び吸排気孔１６を経て吸湿剤収容室３中を通りながら吸湿剤４で除湿され、乾燥空気となって本体連通部３２を通って油入電気機器内に導入される。一方、油入電気機器内の温度が上昇してその内圧が上り、該油入電気機器から排気を行う場合は、吸気と逆の行程で外部に排気される。
【０００９】
【発明が解決しようとする課題】
しかしながら、このような従来の吸湿呼吸装置では、外気との密封にシール油（絶縁油）２２を使用しているため、定期的にオイルポット１７の清掃と、シール油２２の取換えが必要となり、保守に手間と時間がかかる問題点がある。
【００１０】
本発明の目的は、オイルポットやシール油を使用しないで、外気との密封を行える吸湿呼吸装置を提供することにある。
【００１１】
本発明の他の目的は、保守に手間と時間がかからない吸湿呼吸装置を提供することにある。
【００１２】
本発明の他の目的は、排気用弁機構の弁体と吸気用弁機構の弁体とを同じ向きにして連通室側に向けても支障なく作動させることができる吸湿呼吸装置を提供することにある。
【００１３】
本発明の他の目的は、排気用弁機構の弁体と吸気用弁機構の弁体とをユニットベース体自体でガイドできる吸湿呼吸装置を提供することにある。
【００１４】
【課題を解決するための手段】
本発明は、有底筒状の容器内が通気性の受板で上下に仕切られ、該受板上の容器内には吸湿剤を収容する吸湿剤収容室が形成され、容器の上部には吸湿剤収容室と油入電気機器とを連通させる通気孔が設けられている吸湿呼吸装置を改良するものである。
【００１５】
本発明に係る吸湿呼吸装置においては、容器の底部の下には該容器内の圧力の変化により吸気と排気とを行う呼吸弁ユニットが該容器の底部に対して間隔をあけて固定的に配置されている。呼吸弁ユニットの吸排気口と容器の底部の孔とが透明筒体で連通接続されている。透明筒体には、呼吸弁ユニットを経ての呼吸動作状態を表示する呼吸動作表示手段が内蔵されている。呼吸弁ユニットは、ユニットベース体と、該ユニットベース体の上面の中央側に連通室を形成するようにして該ユニットベース体の上部に被せられて該ユニットベース体の周縁部に対して気密にシールされている蓋体とを備えている。蓋体には吸排気口が、連通室を透明筒体内の通路を経て容器内に連通させるように設けられている。ユニットベース体の底部には、呼吸用孔として排気孔と吸気孔とが設けられている。ユニットベース体には、吸湿剤収容室側の内圧が外気圧より上昇して該外気圧との差圧が所定値以上になった際に排気用弁体が開となって該吸湿剤収容室側の圧力を排気孔を経て放圧する排気用弁機構と、吸湿剤収容室側の内圧が外気圧より低下して該外気圧との差圧が所定値以上になった際に吸気用弁体が開となって該吸湿剤収容室側に外気を吸気孔を経て吸込む吸気用弁機構とが設けられている。
【００１６】
このように呼吸弁ユニットの排気用弁機構と吸気用弁機構とを用いて吸排気を行うと、オイルポットやシール油を使用しないで、外気との密封を行うことができる。このため従来のように定期的にオイルポットの清掃を行ったり、シール油の取換えを行ったりする必要がなくなり、保守に手間と時間がかからない利点がある。また、容器の底部の下には呼吸弁ユニットを該容器の底部に対して間隔をあけて配置し、この呼吸弁ユニットの吸排気口と容器の底部の孔とを透明筒体で連通接続し、透明筒体には呼吸弁ユニットを経ての呼吸動作状態を表示する呼吸動作表示手段を内蔵させているので、弁タイプであっても呼吸動作の表示を行わせることができる。
【００１７】
本発明で排気用弁機構は、ユニットベース体に設けられて両端が異なる位置で連通室側に面するユニットベース体の上面に開口する排気通路と、連通室側に開口する排気通路の一方の開口部の周囲でユニットベース体の表面側に設けられた排気用弁座と、通常は排気用弁座に接触して排気通路を閉じていて吸湿剤収容室側の内圧が外気圧より上昇して該外気圧との差圧が所定値以上になった際に排気通路を経て伝わる該内圧で押し上げられて排気通路を開く排気用弁体と、連通室側に面する排気用弁体と排気通路の一方の開口部と排気孔の開口部とを連通室から隔離する隔離体とで構成されていることが好ましい。このように構成すると、吸湿剤収容室側の内圧で作動する排気用弁機構の弁体であっても、連通室側に向けて動作するように構成することができる。
【００１８】
また本発明で排気用弁座は、ユニットベース体の表面に開口させて設けられた排気用弁体ガイド凹部の底部に設けられ、該排気用弁体ガイド凹部内に排気用弁体が摺動自在に配置されていることが好ましい。このように構成すると、排気用弁体にガイド軸を設け、このガイド軸を排気通路内のガイド体でガイドさせるような複雑な構造にせずに、排気用弁体をガイドさせることができる。
【００１９】
また本発明では、排気孔の出口にフィルターを配置することが好ましい。このように構成すると、排気孔の出口から異物が侵入するのを防止することができる。
【００２０】
また本発明で吸気用弁機構は、ユニットベース体を貫通して外部と連通室側とを連通させている吸気孔からなる吸気通路と、連通室側に開口する吸気通路の開口部の周囲でユニットベース体の表面側に設けられた吸気用弁座と、通常は吸気用弁座に接触して吸気通路を閉じていて吸湿剤収容室側の圧力が外気圧より低下して該外気圧との差圧が所定値以上になった際に外気圧で押し上げられて吸気通路を開く吸気用弁体とで構成されていることが好ましい。このように構成すると、吸気用弁機構の弁体を連通室側に向けて作動させることができる。
【００２１】
また本発明で吸気用弁座は、ユニットベース体の表面に開口させて設けられた吸気用弁体ガイド凹部の底部に設けられ、該吸気用弁体ガイド凹部内に吸気用弁体が摺動自在に配置されていることが好ましい。このように構成すると、吸気用弁体にガイド軸を設け、このガイド軸を吸気通路内のガイド体でガイドさせるような複雑な構造にせずに、吸気用弁体をガイドさせることができる。
【００２２】
また本発明で吸気孔の入口には、フィルターを配置することが好ましい。このように構成すると、吸気孔の入口から異物が侵入するのを防止することができる。
【００２３】
【発明の実施の形態】
図１〜図３は本発明に係る吸湿呼吸装置における実施の形態の一例を示したもので、図１は該吸湿呼吸装置の縦断側面図、図２は図１の要部拡大縦断図、図３は図２のフィルター押え板の正面図である。なお、前述した図５及び図６と対応する部分には、同一符号を付けて示している。
【００２４】
この吸湿呼吸装置においては、容器１の上半部側の構成については前述した図６と同様である。
【００２５】
この吸湿呼吸装置にあっては、容器１の底部１５の中央に孔３９が設けられている。
【００２６】
容器１の底部１５の下には、該容器１内の圧力の変化により吸気と排気とを行う呼吸弁ユニット４０が該容器１の底部１５に対して所定の間隔をあけて後述するようにして固定的に配置されている。
【００２７】
呼吸弁ユニット４０は、ユニットベース体４１と、該ユニットベース体４１の上面の中央側に連通室４２を形成するようにして該ユニットベース体４１の上部に被せられて該ユニットベース体４１の周縁部に対してシール材４３を介して気密にシールされている蓋体４４とを備えている。蓋体４４の中央には、連通室４２と連通する吸排気口４５が設けられている。
【００２８】
呼吸弁ユニット４０の吸排気口４５と容器１の底部１５の孔３９とは、アクリル樹脂等よりなる外側透明筒体４６で連通接続されている。この外側透明筒体４６の両端は、容器１の底部１５と蓋体４４とにシール材４７，４８を介して当接され、かかる状態でユニットベース体４１と蓋体４４とを貫通する複数本の取付けネジ４９を容器１の底部１５に締結することにより気密にシールされている。また、かかる状態で、呼吸弁ユニット４０が取付けネジ４９で容器１の底部１５に吊り下げ支持されている。
【００２９】
蓋体４４の上面には、吸排気口４５を包囲してアクリル樹脂等よりなる内側透明筒体５０が接着剤による接着で植設されている。この内側透明筒体５０は、容器１の底部１５の孔３９を貫通して容器１内に突出する長さを有している。この内側透明筒体５０内の通路５１を経て、呼吸弁ユニット４０内の連通室４２は容器１内と連通されている。内側透明筒体５０内の通路５１には、呼吸弁ユニット４０を経ての呼吸動作状態を表示する呼吸動作表示手段５２が内蔵されている。この呼吸動作表示手段５２は、内側透明筒体５０の上端側を横切って取付けられた支持ピン５３と、この支持ピン５３に吊り紐５４で吊り下げられた例えば鳥の羽よりなる表示体５５とで構成されている。
【００３０】
連通室４２に対応する位置で、ユニットベース体４１の底部に隣接して開口させて呼吸用孔として排気孔５６と吸気孔５７とが設けられている。また、ユニットベース体４１には、吸湿剤収容室３側の内圧が外気圧より上昇して該外気圧との差圧が所定値以上になった際に排気用弁体５８が開となって該吸湿剤収容室３側の圧力を排気孔５６を経て放圧する排気用弁機構５９と、吸湿剤収容室３側の内圧が外気圧より低下して該外気圧との差圧が所定値以上になった際に吸気用弁体６０が開となって該吸湿剤収容室３側に外気を吸気孔５７を経て吸込む吸気用弁機構６１とが設けられている。
【００３１】
排気用弁機構５９は、ユニットベース体４１に設けられて両端が異なる位置で連通室４２側に面するユニットベース体４１の上面に開口する排気通路６２と、連通室４２側に開口する排気通路６２の一方の開口部６２ａの周囲でユニットベース体４１の表面側に設けられた排気用弁座６３と、通常は排気用弁座６３に接触して排気通路６２を閉じていて吸湿剤収容室３側の内圧が外気圧より上昇して該外気圧との差圧が所定値以上になった際に排気通路６２を経て伝わる該内圧で押し上げられて排気通路６２を開く前述した排気用弁体５８と、連通室４２側に面する排気用弁体５８と排気通路６２の一方の開口部６２ａと排気孔５６の開口部５６ａとを連通室４２から隔離する隔離体６４とで構成されている。
【００３２】
特に、この例で排気用弁座６３は、ユニットベース体４１の表面に開口させて設けられた排気用弁体ガイド凹部６５の底部に設けられている。この排気用弁体ガイド凹部６５内に排気用弁体５８が摺動自在に配置されている。
【００３３】
吸気用弁機構６１は、ユニットベース体４１を貫通して外部と連通室４２側とを連通させている吸気孔５７からなる吸気通路６６と、連通室４２側に開口する吸気通路６６の開口部の周囲でユニットベース体４１の表面側に設けられた吸気用弁座６７と、通常は吸気用弁座６７に接触して吸気通路６６を閉じていて吸湿剤収容室３側の圧力が外気圧より低下して該外気圧との差圧が所定値以上になった際に外気圧で押し上げられて吸気通路６６を開く前述した吸気用弁体６０とで構成されている。
【００３４】
特に、この例で吸気用弁座６７は、ユニットベース体４１の表面に開口させて設けられた吸気用弁体ガイド凹部６８の底部に設けられている。この吸気用弁体ガイド凹部６８内に吸気用弁体６０が摺動自在に配置されている。
【００３５】
ユニットベース体４１の底面に開口する排気孔５６と吸気孔５７には、これらを共通に覆ってフィルター６９があてがわれている。該フィルター６９にはフィルター押え板７０が当接され、該フィルター押え板７０は固定ネジ７１でユニットベース体４１に固定されている。該フィルター押え板７０には、複数の通気孔７０ａが設けられている。
【００３６】
内側透明筒体５０の上端にも、通路５１を横切ってフィルター７２が取付けられている。
【００３７】
蓋体４４の外周には、ユニットベース体４１を保護するように保護筒体７３が取付けられている。
【００３８】
吸湿呼吸装置の容器１の上端に設けられている通気管３７は、コンサベータ７４を介して油入変圧器の如き油入電気機器７５に接続されている。
【００３９】
次に、このような吸湿呼吸装置における呼吸動作について、図４（Ａ）〜（Ｃ）を参照して説明する。
【００４０】
容器１内の吸湿剤収容室３側の圧力変動がない場合には、図４（Ａ）に示すように、排気用弁機構５９と吸気用弁機構６１のいずれの弁体５８，６０もその自重で弁座６３，６７に接触していて、これら排気用弁機構５９と吸気用弁機構６１は閉となっていてこれらの弁機構５９，６１による呼吸作用はない。
【００４１】
油入電気機器７５側の圧力が上昇すると、コンサベータ７４内の絶縁油の油面が上がって吸湿剤収容室３側の圧力が上がり、この吸湿剤収容室３側の内圧が外気圧より上昇して該外気圧との差圧が所定値以上になった際に、通路５１，連通室４２，排気通路６２を経て伝わる該内圧で排気用弁体５８が図４（Ｂ）に示すように押し上げられて該排気通路６２が開となる。これにより吸湿剤収容室３側の圧力は、排気孔５６を経て外部に放圧されて低下する。この放圧動作時には、内側透明筒体５０内の通路５１には、下向きに空気が流れ、これにより呼吸動作表示手段５２の鳥の羽よりなる表示体５５が縮むので、外部から外側透明筒体４６と内側透明筒体５０を経て表示体５５の縮んだ状態を目視することにより、排気動作が行われていることを確認できる。
【００４２】
この放圧作用により、吸湿剤収容室３側の圧力と容器１の外部の圧力とに圧力差がほぼなくなると、自重で排気用弁体５８が下降して弁座６３に接触し、排気用弁機構５９が図３（Ａ）に示すような閉状態に戻る。
【００４３】
一方、油入電気機器７５側の圧力が低下すると、コンサベータ７４内の絶縁油の油面が下がって吸湿剤収容室３側の圧力が下がり、この吸湿剤収容室３側の内圧が外気圧より低下して外気圧との差圧が所定値以上になった際に吸気用弁体６０が図４（Ｃ）に示すように外気圧で押し上げられて吸気通路６６が開となる。これにより外気が吸気通路６６，連通室４２，通路５１を経て吸湿剤収容室３側に供給され、吸湿剤収容室３側の圧力が上昇する。この吸気動作時には、内側透明筒体５０内の通路５１には、上向きに空気が流れ、これにより呼吸動作表示手段５２の鳥の羽よりなる表示体５５が広がるので、外部から外側透明筒体４６と内側透明筒体５０を経て表示体５５の広がった状態を目視することにより、吸気動作が行われていることを確認できる。
【００４４】
この外気の吸込み作用により、吸湿剤収容室３側の圧力と容器１の外部の圧力とに圧力差がほぼなくなると、自重で排気用弁体６０が下降して弁座６７に接触し、排気用弁機構６１が図４（Ａ）に示すような閉状態に戻る。
【００４５】
このように排気用弁機構５９と吸気用弁機構６１とを用いて吸排気を行うと、オイルポットやシール油を使用しないで、外気との密封を行うことができる。
【００４６】
このような呼吸動作は、フィルター６９，７２を経て行われるので、排気孔５６と吸気孔５７から異物が侵入するのを防止することができる。
【００４７】
上記例では、呼吸動作表示手段５２を覗く箇所に外側透明筒体４６と内側透明筒体５０が存在して二重構造になっているが、内側透明筒体５０の外周にフランジを一体に設け、このフランジを容器１の底部１５の下面にシール材を介してあてがい、取付けネジ４９で呼吸ユニット４０を容器１の底部１５に締結すると、外側透明筒体４６を省略することができ、呼吸動作表示手段５２を覗く箇所の構造を簡略化することができる。
【００４８】
【発明の効果】
本発明に係る吸湿呼吸装置では、呼吸弁ユニットの排気用弁機構と吸気用弁機構とを用いて吸排気を行うので、オイルポットやシール油を使用しないで、外気との密封を行うことができる。このため従来のように定期的にオイルポットの清掃を行ったり、シール油の取換えを行ったりする必要がなくなり、保守に手間と時間がかからない利点がある。また、呼吸弁ユニットは容器の底部の下に間隔をあけて配置し、この呼吸弁ユニットの吸排気口と容器の底部の孔とを透明筒体で連通接続し、透明筒体には呼吸弁ユニットを経ての呼吸動作状態を表示する呼吸動作表示手段を内蔵させているので、弁タイプであっても呼吸動作の表示を支障なく行わせることができる。
【図面の簡単な説明】
【図１】本発明に係る吸湿呼吸装置における実施の形態の一例の縦断側面図である。
【図２】図１の要部拡大縦断図である。
【図３】図２で使用しているフィルター押え板の正面図である。
【図４】（Ａ）〜（Ｃ）は本例の吸湿呼吸装置における呼吸弁ユニットの動作説明図である。
【図５】従来の吸湿呼吸装置の正面図である。
【図６】従来の吸湿呼吸装置の縦断面図である。
【符号の説明】
１  容器
２  受板
３  吸湿剤収容室
４  吸湿剤
５  通気孔
６  金網
７  ビス
８  吸湿剤監視窓
９  吸湿剤取出部
１０  枠体
１０Ａ  下側構成部材
１１  傾斜面
１２  吸湿剤取出筒体
１３  吸湿剤取出蓋
１４  パッキン
１５  底部
１６  吸排気孔
１７  オイルポット
１８  座板
１９  連結リング
２０  通気口
２１  油面位置基準線
２２  シール油
２３  吸排気管
２４  切込み
２５  覗き窓
２６  フランジ
２７  パッキン
２８  主蓋
２９  ボルト
３０  ナット
３１  吸湿剤投入部
３２  本体連通部
３３  吸湿剤投入孔
３４  吸湿剤投入筒体
３５  吸湿剤投入蓋
３６  通気孔
３７  通気管
３８  接続フランジ
３９  孔
４０  呼吸弁ユニット
４１  ユニットベース体
４２  連通室
４３  シール材
４４  蓋体
４５  吸排気口
４６  外側透明筒体
４７，４８  シール材
４９  取付けネジ
５０  内側透明筒体
５１  通路
５２  呼吸動作表示手段
５３  支持ピン
５４  吊り紐
５５  表示体
５６  排気孔
５７  吸気孔
５８  排気用弁体
５９  排気用弁機構
６０  吸気用弁体
６１  吸気用弁機構
６２  排気通路
６２ａ  開口部
６３  排気用弁座
６４  隔離体
６５  排気用弁体ガイド凹部
６６  吸気通路
６７  吸気用弁座
６８  吸気用弁体ガイド凹部
６９  フィルター
７０  フィルター押え板
７０ａ  通気孔
７１  固定ネジ
７２  フィルター
７３  保護筒体
７４  コンサベータ
７５  油入電気機器
【図１】
0003961694.tif 000002
【図２】
0003961694.tif 000003
【図３】
0003961694.tif 000004
【図４】
0003961694.tif 000005
【図５】
0003961694.tif 000006
【図６】
0003961694.tif 000007